(57)【要約】【課題】動画・静止画同時記録時の静止画の圧縮率を高める撮像装置を提供する。【解決手段】動画圧縮部５０、画素数変換手段６０、差分手段６５、静止画圧縮手段８５、静止画情報付加手段８５を備え、動画圧縮部５０が同時記録を行う際に動画の圧縮時に生成した予測参照画像を出力し、画素数変換手段６０で予測参照画像の画素数を変換し、静止画の情報を削減するために差分手段６５で差分を取り、静止画圧縮手段８５で圧縮することで静止画像の圧縮率を高めることが出来る。【選択図】図１
2008092503.tif 000002
【特許請求の範囲】
【請求項１】
被写体の画像の動画像信号および静止画像信号を同時にそれぞれ圧縮し記録媒体に記録す
るための動画記録部と静止画記録部とを備えた撮像装置であって、
静止画像信号と動画像信号とを入力し２つの画像信号の差分情報を出力する差分手段と、
前記差分手段から差分情報を入力し圧縮処理を行い出力する静止画圧縮手段と、
前記静止画圧縮手段の出力を入力し動画像信号との差分情報を圧縮処理したことを示す情
報を静止画中に付加する静止画情報付加手段とを備え、
前記動画記録部において動画像信号の圧縮中に静止画像信号を同時に記録する際に、同一
時刻に撮影された被写体の静止画像信号と動画像信号の差分情報を圧縮し前記記録媒体に
記録することを特徴とする撮像装置。
【請求項２】
前記差分手段が入力する動画像信号が、前記動画記録部において動画像信号の画像間の冗
長情報を削減するために用いる予測参照画像である請求項１記載の撮像装置。
【請求項３】
前記静止画情報付加手段が付加する情報が、撮影された静止画像と同時に記録される動画
像信号を前記記録媒体内で特定するための情報と、特定された動画像信号内における画像
位置を示す情報である請求項１および２記載の撮像装置。
【請求項４】
前記静止画情報付加手段が付加する情報が、撮影された静止画像と同時に記録される動画
像信号を前記記録媒体内で特定するための情報であり、特定された動画像信号内における
画像位置を示す情報を圧縮された動画像に付加する動画情報付加手段を備える請求項１お
よび２記載の撮像装置。
【請求項５】
動画像信号と静止画像信号を同時記録された記録媒体からの静止画像信号の伸長処理にお
いて、
前記記録媒体から読み出された静止画信号に付加された情報を抽出する付加情報抽出手段
と、
前記付加情報抽出手段の出力する付加情報に基づき前記記録媒体から動画信号を読み出し
同時記録された静止画に対応する動画信号を再生する動画像再生手段と、
前記付加情報抽出手段の出力する静止画信号を入力し伸長処理を行い出力する静止画像伸
長手段と、
前記動画像再生手段および前記静止画伸長手段の出力する画像を入力し加算を行う加算手
段とを備えた請求項１ないし４いずれか記載の撮像装置。
【請求項６】
前記付加情報抽出手段が動画像信号内における画像位置情報を抽出し、前記抽出した画像
位置情報に基づき再生する動画像を決定する動画像再生手段である請求項５記載の撮像装
置。
【請求項７】
前記動画像再生手段が再生する画像位置を前記記録媒体に記録された動画信号に付加され
た付加情報に基づき決定する前記動画像再生手段である請求項５記載の撮像装置。
【発明の詳細な説明】
【技術分野】
【０００１】
本発明は、動画と静止画を記録可能な撮像装置に関し、より詳細には、撮像装置の動画
と静止画とを同時に記録する際の圧縮技術に関する。
【背景技術】
【０００２】
従来のビデオカメラ等の撮像装置は、動画像を記録しながら同時に静止画像を記録でき
る機能を有している（例えば、特許文献１参照。）。
【０００３】
また、従来のデジタルスチルカメラやデジタルビデオカメラ等の撮像装置は、記録する
データのサイズを圧縮するために静止画を記録する際に、例えば、ＪＰＥＧ（Ｊｏｉｎｔ  Ｐｈｏｔｏｇｒａｐｈｉｃ  Ｅｘｐｅｒｔｓ  Ｇｒｏｕｐ）方式により圧縮し記録を行う。このＪＰＥＧ方式によるデータの圧縮は、以下の手順で行う。
【０００４】
撮像された被写体の画像信号に対して、ＤＣＴ（Ｄｉｓｃｒｅｔｅ  ｃｏｓｉｎｅ  Ｔ
ｒａｎｓｆｏｒｍ）変換すなわち離散コサイン変換を行うことで時間−周波数変換を行う。
【０００５】
次に周波数成分に変換されたデータに対して、量子化テーブル（Ｑテーブル）に基づいて量子化を行い、さらに量子化されたデータを例えばハフマン符号による可変長符号化を行い入力画像に対する圧縮画像を得る。
【０００６】
この静止画圧縮において、このＱテーブルの値を調整することで情報の削減量と圧縮後
の画像の画質を変更することが可能であり、画質と圧縮率とを考慮しＱテーブルの値を入
力画像ごと撮影時の条件に基づきに最適化する必要がある。従って、圧縮後のサイズに注
目する場合は、このＱテーブルの最適化は撮影画像の圧縮後のサイズを確認しながら繰り
返し調整する必要があり、その処理に時間を要する。
【０００７】
そこで、一回の圧縮処理で所定のデータサイズに圧縮するために、圧縮対象の入力画像
データの高周波積分値を求め、この求めた高周波積分値に基づき予め算出した圧縮率で圧
縮を行っていた。（例えば、特許文献２参照。）
【特許文献１】特開２００２−１０１４２１号公報
【特許文献２】特開２００３−１９９０１９号公報
【発明の開示】
【発明が解決しようとする課題】
【０００８】
しかしながら、前記従来の構成では、光ディスク、特に８ｃｍＤＶＤ等の小径の光ディスクやメモリーカード等容量の限られた記憶媒体に動画と静止画とを同時に記録を行う場合、高精細な静止画を記録すると記録可能な静止画の枚数が制限され、また撮影可能な動画の記録時間が制限されてしまうため記録する静止画のデータ量の更なる削減が求められる。
【０００９】
しかしながら、静止画の圧縮時に量子化率を制御し目標の圧縮率を実現する場合、圧縮後のデータの容量を制限するために圧縮率を高めて記録すると、高精細な静止画の記録を行っても画質が悪化するという課題を有していた。
【００１０】
本発明は、前記従来の課題を解決するもので、動画と静止画の同時記録を行う際に、大
幅な処理量の増加を招くことなく、かつ画質の低下を招くことのない高解像度の静止画記
録を可能とした撮像装置を提供することを目的とする。
【課題を解決するための手段】
【００１１】
前記従来の課題を解決するために、本発明の撮像装置は、
被写体の画像の動画像信号および静止画像信号を同時にそれぞれ圧縮し記録媒体に記録す
るための動画記録部と静止画記録部とを備えた撮像装置であって、
静止画像信号と動画像信号とを入力し２つの画像信号の差分情報を出力する差分手段と、
前記差分手段から差分情報を入力し圧縮処理を行い出力する静止画圧縮手段と、
前記静止画圧縮手段の出力を入力し動画像信号との差分情報を圧縮処理したことを示す情
報を静止画中に付加する静止画情報付加手段とを備え、
前記動画記録部において動画像信号の圧縮中に静止画像信号を同時に記録する際に、同一
時刻に撮影された被写体の静止画像信号と動画像信号の差分情報を圧縮し前記記録媒体に
記録することを特徴としたものである。
【００１２】
さらに、前記差分手段が入力する動画像信号が、前記動画記録部において動画像信号
の画像間の冗長情報を削減するために用いる予測参照画像であることを特徴としたもので
ある。
【００１３】
さらに、前記静止画情報付加手段が付加する情報が、撮影された静止画像と同時に記録
される動画像信号を前記記録媒体内で特定するための情報と、特定された動画像信号内に
おける画像位置を示す情報であることを特徴としたものである。
【００１４】
さらに、前記静止画情報付加手段が付加する情報が、撮影された静止画像と同時に記
録される動画像信号を前記記録媒体内で特定するための情報であり、特定された動画像信
号内における画像位置を示す情報を圧縮された動画像に付加する動画情報付加手段を備え
ることを特徴としたものである。
【００１５】
さらに、動画像信号と静止画像信号を同時記録された記録媒体からの静止画像信号の
伸長処理において、前記記録媒体から読み出された静止画信号に付加された情報を抽出す
る付加情報抽出手段と、前記付加情報抽出手段の出力する付加情報に基づき前記記録媒体
から動画信号を読み出し同時記録された静止画に対応する動画信号を再生する動画像再生
手段と、前記付加情報抽出手段の出力する静止画信号を入力し伸長処理を行い出力する静
止画像伸長手段と、前記動画像再生手段および前記静止画伸長手段の出力する画像を入力
し加算を行う加算手段とを備えたことを特徴としたものである。
【００１６】
さらに、前記付加情報抽出手段が動画像信号内における画像位置情報を抽出し、前記
抽出した画像位置情報に基づき再生する動画像を決定する動画像再生手段であることを特
徴としたものである。
【００１７】
さらに、前記動画像再生手段が再生する画像位置を前記記録媒体に記録された動画信
号に付加された付加情報に基づき決定する前記動画像再生手段であることを特徴としたも
のである。
【発明の効果】
【００１８】
本発明の撮像装置によれば、記録容量の限られた記録媒体を用いて動画と静止画との同
時記録を行う場合に、静止画の画質を低下することなく圧縮率を高め記録可能な静止画の
枚数、または動画の記録時間を長くすることができる。
【発明を実施するための最良の形態】
【００１９】
以下に、本発明の撮像装置の実施の形態を図面とともに詳細に説明する。
【実施例１】
【００２０】
図２は、本発明の第１の実施例における撮像装置の全体構成図を示す。
【００２１】
図２において、１はカメラ信号処理手段で、レンズ部２００、赤青および緑をそれぞれ
独立に受光するＲ用Ｇ用Ｂ用の３個のＣＣＤで構成されたＣＣＤ部２０１、アナログ信号
処理部２０２、Ａ／Ｄ変換部２０３、デジタル信号処理部２０４より構成され、２１０は
表示部、２２０はメモリ制御部、２３０はメモリ、２５０は記録部、２６０は再生部であ
る。
【００２２】
撮影対象の映像はレンズ部２００によって撮像素子であるＣＣＤ部２０１のＲＧＢ用
それぞれのＣＣＤ上に結像し、その結像した画像をＣＣＤ部２０１によって電気信号とし
てのアナログ映像信号に変換し出力する。ＣＣＤ部２０１が出力するアナログ映像信号は、アナログ信号処理部２０２に入力され、アナログ信号処理部２０２において入力したアナログ映像信号に対してノイズ除去やゲイン調整を行いＡ／Ｄ変換部２０３に出力する。入力画像データはＡ／Ｄ変換部２０３においてアナログ信号からデジタル信号に変換され、次にデジタル信号処理部２０４においてＲＧＢ信号から輝度信号および色差信号への色空間変換処理を行うと共に、動画撮影と静止画撮影とを途切れることなく同時に行えるよう画素数変換、サンプリング周波数変換やインタレース補正を行い動画記録用信号２と静止画記録用信号３を出力する。
【００２３】
デジタル信号処理部２０４から出力される動画記録用信号２は、表示部２１０において
ＮＴＳＣ等の画像フォーマットに変換され図示しないモニタにおいて画像表示される。さ
らに、動画撮影モード時には、動画記録用信号２は記録部２５０へも入力されＭＰＥＧ２
（Ｍｏｖｉｎｇ  Ｐｉｃｔｕｒｅ  Ｅｘｐｅｒｔｓ  Ｇｒｏｕｐ  ｐｈａｓｅ  ２）等の
形式で圧縮処理され外部記憶媒体２４０に格納される。
【００２４】
この動画像の圧縮処理においては、記録部２５０がメモリ制御部２２０を経由してメモ
リ２３０をアクセスし圧縮処理等を行い、メモリ２３０上の圧縮された画像データをメモ
リ制御部２２０経由で読み出し外部記憶媒体２４０に記録する。
【００２５】
同様に、静止画記録時に静止画記録用信号３がデジタル信号処理部２０４から出力され、静止画撮影モード時に記録部２５０に入力され、記録部２５０がメモリ制御部２２０を経由しメモリ２３０をアクセスしＪＰＥＧ等の形式で圧縮処理を行い、メモリ２３０上の圧縮された画像データをメモリ制御部２２０経由で読み出し外部記憶媒体２４０に格納する。
【００２６】
なお、動画撮影、静止画撮影、および動画・静止画同時撮影を行う場合の動作の概要は、以下の通りである。
【００２７】
動画のみの撮影を行う場合は、図示されていないモード選択手段により動画撮影モード
が指定され、カメラ信号処理部１に対して動画撮影用の設定を行った後、ＣＣＤ部２０１
で撮像された画像が動画記録データとしてデジタル信号処理部２０４より出力され、表示
部２１０にその映像が表示される。その後、撮影を開始するために図示されていない記録
開始ボタンが押されると、記録部２５０は動画記録用信号２を取り込み記録を開始する。
【００２８】
静止画の撮影を行う場合は、前記モード選択手段により静止画撮影モードが指定され、
カメラ信号処理部１に対して静止画撮影用の設定を行った後、ＣＣＤ部２０１で撮像され
た画像が動画記録データとしてデジタル信号処理部２０４より出力され、表示部２１０に
その映像が表示される。静止画を撮影するために前記記録開始ボタンが押されると、デジ
タル信号処理部２０４は静止画記録用信号３を出力し、静止画記録部１００はその静止画
記録用信号３を取り込み、データ圧縮および記録を行う。なお、静止画の記録開始ボタン
と動画用の記録開始ボタンが異なっていても良い。
【００２９】
動画と静止画との同時記録は、以下の手順で行う。
【００３０】
前記動画のみの撮影を行う場合と同様に、前記モード選択手段により動画撮影モードが
指定され動画記録を行っている状態において、前記記録開始ボタンを押すことにより、動
画記録中に静止画の記録を行う。すなわち、動画記録中に前記記録開始ボタンが押される
とデジタル信号処理部２０４はそれまで出力していた動画記録用信号２と共に前記記録開
始ボタンが押された時点で撮影された被写体の静止画記録用信号３を出力し静止画記録部
１００が記録を行う。
【００３１】
次に、再生時は以下の手順で再生処理を行う。外部記録媒体２４０に記録された動画圧縮・静止画圧縮データを、メモリ制御部２２０を介してメモリ２３０に読み出し、再生部２６０においてメモリ２３０に読み出された動画・静止画の圧縮データを伸長し、伸長したデータをメモリ２３０に出力する。次に表示部２１０は、カメラ信号処理手段１の出力する動画記録用信号２の代わりに、伸長されたデータをメモリ２３０から読み出し、記録時の処理と同様に図示しないモニタに表示する。
【００３２】
図１は、図２における本発明の第１の実施例における撮像装置の記録部２５０の処理の
概要を示すための構成図である。
【００３３】
図１において、５０は動画記録部で、５は差分手段、１０はＤＣＴ手段、１５は量子化手段、２０は可変長符号化手段、２５は逆量子化手段、３０は逆ＤＣＴ（ＩＤＣＴ）手段、３５は加算手段、４０は動き補償予測手段、４５は動画情報付加手段である。１００は静止画記録部であり、６０は画素数変換手段、６５は差分手段、７０はＤＣＴ手段、７５は量子化手段、８０は可変長符号化手段、８５は静止画圧縮手段、９０は静止画情報付加手段である。なお、ＤＣＴ手段７０、量子化手段７５、可変長符号化手段８０で静止画圧縮手段８５を構成する。
【００３４】
以下、動画記録部５０における動画記録、動画静止画同時記録の各記録モードにおける
圧縮処理の概要を示す。
【００３５】
動画記録モードにおいて、フレーム間圧縮を行わない場合は、動画記録用信号２がカメ
ラ信号処理手段１より入力され、ＤＣＴ手段１０において入力画像データに対してブロッ
ク単位でＤＣＴ変換を行い、量子化手段１５おいて量子化テーブルに基づき量子化し、可
変長符号化手段２０において符号化され動画圧縮データとして記録用データ２５１に出力
される。この場合の処理内容は、静止画のＪＰＥＧ方式の圧縮方法と同様である。なお、
動画を単独で記録する場合は、動画情報付加手段４５は可変長符号化手段２０からの入力
をそのまま圧縮データ２５１へ出力する。
【００３６】
さらに、この圧縮処理において得られた画像データを次フレームのフレーム間圧縮に用
いるために、量子化手段１５において量子化された画像データを、逆量子化手段２５で逆
量子化、およびＩＤＣＴ手段３０において逆ＤＣＴ変換し画像を再生しフレーム間圧縮を
行う際の予測参照画像として用いる。
【００３７】
フレーム間圧縮を行う場合も同様に、以下の手順で処理を行う。動画記録用信号２がカ
メラ信号処理手段１より入力され、動画記録用信号２は、既に符号化済みの画像である予
測参照画像との差分が差分手段５において取られ、この差分データに対してＤＣＴ変換、
量子化、可変長符号化を行う。動き補償を行う場合は、動き補償予測手段４０において予
測参照画像を基にして、画像内のブロック単位の動きを予測する。予測した動きを加算手
段３５によりフィードバックするとともに予測参照画像を補正しその補正した画像と入力
画像との差分を差分手段５でとり、この差分データに対してＤＣＴ変換、量子化、可変長
符号化を行う。
【００３８】
以上のように、動画像に対して圧縮を行う場合、圧縮済みの画像を以降の画像の圧縮に
用いるために伸長し予測参照画像として用いる。
【００３９】
動画・静止画同時記録は、動画記録モードにおいて同時に静止画を記録することにより
行う。
【００４０】
動画・静止画同時記録を行う場合は、動画記録モードでの動画の記録中に前記記録開始
ボタンが押され、その時点での被写体の画像が取り込まれ、カメラ信号処理手段１により
動画記録用信号２とともに静止画記録用信号３が出力される。この静止画記録用信号３は、対応する動画記録用信号２とは非同期に出力される。特に、高精細な静止画像は画像サイズが大きいため、カメラ信号処理手段１の出力する静止画記録用信号３の静止画記録部１００による取り込みは、動画記録部５０による動画記録用信号２の取り込みより時間を要する。従って、同じ被写体から作られた動画像と静止画像を処理するタイミングは異なり、まず動画記録部５０が、静止画像に対応する同時に取り込まれた動画像を符号化し、その圧縮過程において作成した加算手段３５の出力を予測参照画像として静止画記録部１００へ出力する。動画記録部５０の以降の処理は動画記録時における処理と同様の処理を行うが、静止画像に対応する同時に取り込まれた動画像を符号化した際に対象となる画像を特定するための情報を動画情報付加手段４５において付加する。この動画情報付加手段４５における処理に関しては後述する。
【００４１】
次に、静止画記録部１００は、静止画像の圧縮率を高めるために、動画記録部５０の出力した予測参照画像を用いて入力静止画記録用信号３との差分をとり、その差分情報の圧縮を行う。
【００４２】
この差分を取る際に、加算手段３５の出力する予測参照画像は静止画像と画素数が異なるため、静止画記録部１００では、まず予測参照画像の画素数変換を画素数変換手段６０で行う。この画素数変換手段６０への入力はカメラ信号処理手段１の出力する動画記録用信号２と、加算手段３５で得られる予測参照画像とをセレクタ１０５で選択できるようになっている。静止画記録部１００は、セレクタ１０５で予測参照画像が選択されている場合は動画記録部５０による予測参照画像の作成が完了すると、また動画記録用信号２がセレクタ１０５で選択されている場合は動画記録用信号２が出力され次第、画素数変換手段６０で動画像データの画素数変換を行う。この変換は、以下の手順で行う。
【００４３】
静止画像の圧縮率を高めるために、入力した静止画データと参照画との差分をとるために、画素数変換手段６０において予測参照画のサイズを静止画のサイズへ画素数の変換を行う。以下、動画像の画素数が７２０ｘ４８０、静止画像の画素数が１２８０ｘ９６０の場合を例にその処理を説明する。
【００４４】
画素数変換手段６０では、まず動画記録部５０の出力した予測参照画像の水平方向の画素数変換を行い、７２０ｘ４８０の画素数から６４０ｘ４８０の画素数に変換する。
【００４５】
次に、画素数６４０ｘ４８０から画素数１２８０ｘ９６０への拡大処理を行う。この拡大処理は、その処理を簡単にするために、例えば動画像の１画素と静止画の４画素毎に対応するように行う。この例を図４に示す。図４の（Ａ）が拡大前の画像に対応し、図４の（Ｂ）が拡大後の画像に対応し、各四角内の文字列は画像内の位置をしており、上段がＸ方向を、下段がＹ方向の座標に対応する。図４の（Ａ）における一画素、例えば（ｉ，ｊ）は、この拡大処理により図４の（Ｂ）において（ｉ，ｊ）と記述されている４画素にコピーされる。以上の処理を全画素について行う。拡大された１２８０ｘ９６０画素の画像を参照画像として、静止画像の圧縮に用いる。
【００４６】
静止画記録部１００では、画素数変換手段６０において参照画像である動画像データの画素数の変換を行った後、画素数変換手段６０の出力する参照画像と、カメラ信号処理手段１から入力した入力画像との画素毎の差分抽出を差分手段６５において行い、画素毎の差分データを出力する。
【００４７】
この差分手段６５の出力する差分データに対して静止画圧縮手段８５において圧縮処理を行う。すなわち、差分データに対してＤＣＴ変換をＤＣＴ手段７０で、そのＤＣＴ変換されたデータに対して量子化処理が量子化手段７５で、さらに量子化されたデータに対して可変長符号化が可変長符号化手段８０により行われ、入力した静止画に対する圧縮画像が得られる。
【００４８】
以上の処理で、高圧縮率の静止画の圧縮画像を得ることが出来る。
【００４９】
次に、可変長符号化手段８０において生成された圧縮画像を伸長する際に必要となる情報を付加する。圧縮された静止画像を伸長するためには、同時記録された動画圧縮データを特定するための情報と、特定された動画圧縮データにおける対象画像を特定するための情報を必要とする。
【００５０】
そこで、静止画像付加手段９０において、前記記録媒体上に格納された動画圧縮データのファイル名、またはパス名と、静止画像の撮影番号や静止画に固有に付けられたファイシーケンシャル番号を、可変長符号化手段８０において生成された圧縮画像に付加する。  
【００５１】
また動画情報付加手段４５において、動画圧縮データにおける対象画像を特定するため
の情報を付加する。この動画情報付加手段４５で付加する情報は、ＭＰＥＧストリームで
ある動画圧縮データにユーザ定義のデータとして、ＭＰＥＧストリーム内のＧＯＰ（Ｇｒ
ｏｕｐ  ｏｆ  Ｐｉｃｔｕｒｅｓ）層、またはピクチャ層内のユーザデータ部（以下、Ｕ
Ｄと記す）に埋め込む。
【００５２】
このピクチャ層のＵＤ部に記録する付加情報としては、例えば同一ＭＰＥＧストリーム
内における同時記録された動画に対応する静止画像の撮影番号や静止画に固有に付けられ
たファイル名・シーケンシャル番号であり、また、ＧＯＰ層に記録する場合はＧＯＰ内に
おける該当するピクチャを特定するための識別情報である。
【００５３】
静止画像付加手段９０および動画情報付加手段４５は、それぞれ必要な情報を付加し、
記録用データ２５１に出力する。
【００５４】
以上の情報を付加することで、静止画再生時に、再生する静止画と同じ撮影番号を持つ
ＵＤを持ったピクチャ、あるいはＧＯＰを動画像圧縮データの先頭から検索、対応する動
画像を再生し予測参照画像を得ることが出来る。
【００５５】
なお、本実施例では、参照画像を縮小および圧縮し画素数変換を行っているが、差分情
報抽出時に読み出すアドレスを変更し対応してもよい。
【００５６】
なお、本実施例では、静止画に対応する動画像の検索を動画像圧縮データの先頭から行
っているが、静止画情報付加手段９０において、高速に特定するための情報として、ＭＰ
ＥＧストリームにおいて対象画像が含まれるＧＯＰの開始時刻を付加し検索を高速化でき
るようにしてもよい。
【００５７】
また、本実施例では静止画再生時の誤差を少なくするために、再生時と同じデータであ
る動画像の圧縮用の予測参照画像と静止画との差分を取ったが、予測参照画像の代わりに、静止画と同時に撮影され動画記録部５０に入力される動画像をそのまま用いても良い。
【００５８】
図４は、本発明の第１の実施例における撮像装置の再生部の構成を示す。４００は静止
画再生部で、付加情報抽出手段４４０、静止画可変長複合化手段４０５、逆量子化手段４
１０、ＩＤＣＴ手段４１５、加算手段４２０、および画素数変換手段４３０より構成され、記録媒体より読み出された圧縮静止画データを再生用データ２６１から入力し伸長し静止画データを伸長データ２６２へ出力する。また４５０は静止画像伸長手段である。３００は動画再生部で、動画可変長複合化手段３０５、逆量子化手段３１０、ＩＤＣＴ手段３１５、加算手段３２０、動き補償予測手段３２５、および画像検索手段３３０より構成され、圧縮動画データを再生用データ２６１より入力し伸長し動画データを伸長データ２６２へ出力する。
【００５９】
図４において、図示しない記録媒体から読み出された圧縮された静止画データおよび動
画データは、それぞれ圧縮静止画データ、圧縮動画データとして再生用データ２６１から
入力され以下の処理により伸長される。
【００６０】
動画と同時記録された静止画データの伸長は、静止画の圧縮時に差分を取った参照画像
が必要である。そのため、静止画と同時記録された動画像データから静止画の圧縮に用い
た予測参照画像を再生する。この予測参照画像の再生は、まず前記圧縮静止画データ内に
ある動画像データを識別するための付加情報を読み出す。この付加情報は、付加情報抽出
手段４４０において前記圧縮静止画データを入力し、抽出を行う。
【００６１】
前記付加情報には、対応する動画圧縮データのファイル名と例えば同時記録された静止
画の撮影番号や静止画に固有に付けられたファイル名・シーケンシャル番号が記録されて
おり、この付加情報を持ったＵＤを動画像データから動画再生部３００において検索を行
う。
【００６２】
前記付加情報に基づき対応する動画圧縮データを前記記録媒体より読み出し、動画再生
部３００では、前記動画圧縮データを入力し、可変長複合化手段３０５において、付加情
報抽出手段４４０において抽出した、同時記録された静止画の撮影番号や静止画に固有に
付けられたファイル名・シーケンシャル番号に対応する付加情報が記録されたＵＤを見つ
けるまで動画の再生を行い、ピクチャ層のＵＤで対応する付加情報を見つけると、そのＵ
Ｄを持つピクチャ（動画像）を予測参照画像として出力する。また、ＧＯＰ層のＵＤで対
応する付加情報を見つけると、対応するＧＯＰの先頭から再生を始め付加情報において指
定されたピクチャの再生が行われるとその画像を予測参照画像として出力する。
【００６３】
以上のようにして再生しようとしている静止画に対応する付加情報を持つＵＤを見つ
けた後の予測参照画像の再生処理は、動画像の記録時に行う予測参照画の作成と同様の処
理を行う。
【００６４】
すなわち、予測参照画像を得るための動画の伸長処理は、再生用データ２６１より入力
する圧縮動画データを可変長復号処理、逆量子化処理、逆ＤＣＴ変換処理、動き補償をそ
れぞれ可変長複合化手段３０５、逆量子化手段３１０、ＩＤＣＴ手段３１５、および動き
補償予測手段３２５において行うことで、加算手段３２０の出力として得られる。
【００６５】
静止画再生手段４００では、動画再生手段３００における上記予測参照画像の再生終了
後、または再生処理と平行して、静止画像の伸長を行う。
【００６６】
静止画像の伸長処理は、付加情報抽出手段４４０で付加情報が削除され出力される可変
長符号に対して、可変長復号処理、逆量子化処理、逆ＤＣＴ変換処理をそれぞれ可変長複
合化手段４０５、逆量子化手段４１０、ＩＤＣＴ手段４１５において行う。以上の処理に
より予測参照画像との差分が取られた静止画像の伸長データである伸長差分静止画像を得
る。
【００６７】
得られた伸長差分静止画像に対して、画素数変換手段４３０によって静止画像と同じ画
像サイズに変換された参照画像を加算手段４２０において加算するとこで、伸長静止画像
を得、伸長データ２６２へ出力する。なお、画素数変換手段４３０における変換方法は、
静止画圧縮手段９０内の画素数変換手段６０と同じである。
【００６８】
なお、これまでは静止画に対応した識別子のみを用いた場合について説明を行ったが、
記録媒体に記録された静止画の圧縮データ内に、対応する参照画像の動画像データ内にお
ける記録時間、またはフレーム・フィールド番号を記録しておくことで、動画復号手段３
００において参照画像を得るまでの時間を短縮することが可能である。
【産業上の利用可能性】
【００６９】
本発明にかかる撮像装置は、高解像度の静止画を画質を低下することなく圧縮率を高め
て記録することができ、動画と静止画とを同時に記録する用途に適用できる。
【図面の簡単な説明】
【００７０】
【図１】本発明の実施例１における撮像装置の記録部の構成図
【図２】本発明の実施例１における撮像装置の全体構成図
【図３】本発明の実施例１における撮像装置の画像拡大の概要図
【図４】本発明の実施例１における撮像装置の再生部の構成図
【符号の説明】
【００７１】
１        カメラ信号処理手段
２        動画記録用信号２
３        静止画記録用信号
５、６５    差分手段
１０、７０    ＤＣＴ手段
１５、７５    量子化手段
２０、３０５    可変長符号化手段
２５、３１０、４１０  逆量子化手段
３０、３１５，４１５  ＩＤＣＴ手段
３５、３２０、４２０  加算手段
４０，３２５      動き補償予測手段
４５      動画情報付加手段
５０        動画記録部
６０，４３０    画素数変換手段  
６１      動画検索情報
８０、４０５    可変長符号化手段
８５      静止画圧縮手段
９０        静止画情報付加手段
９５      セレクタ  
１００            静止画記録部
２６１            再生用データ
３００            動画再生部
３３０            画像検出手段
４００            静止画再生部
４４０            付加情報抽出手段
４５０            静止画像伸長手段
【図１】
2008092503.tif 000003
【図２】
2008092503.tif 000004
【図３】
2008092503.tif 000005
【図４】
2008092503.tif 000006